(57)【要約】本願は、リソース割当方法及び関連装置、システム、記憶媒体を開示している。当該方法において、リソースが割り当てられる基地局群のうちのいずれか１つの基地局によってモニターされ、基地局群のうちの他の基地局によって所定の第１の無線チャネルリソースにおいて無線でブロードキャストされるエネルギー情報を含む第１の情報セットを取得すること、エネルギー情報に基づいて、基地局群における各基地局の間の距離関係を決定すること、および、距離関係に応じて、基地局群における基地局ごとに対し、それに対応する第２の無線チャネルリソースを割り当てること、を含み、第２の無線チャネルリソースは、基地局とそれに関連付けられる少なくとも１つの電子タグとの通信を確立するためのものである。本願における実施例の技術案によれば、基地局の間に存在する真の環境に応じて、干渉のない利用可能なリソースを基地局に割り当てでき、基地局の並列度を向上させ、基地局のスループットを最大化することができる。【選択図】図２
2021519049.tif 000002
【特許請求の範囲】
【請求項１】
センター管理装置によって実行される無線リソース割当方法であって、
リソースが割り当てられる予定の基地局群のうちのいずれか１つの基地局によってモニターされるエネルギー情報であって、当該基地局群のうちの他の基地局によって所定の第１の無線チャネルリソースにおいて無線でブロードキャストされるエネルギー情報を含む第１の情報セットを取得すること、
エネルギー情報に基づいて、前記基地局群における各基地局の間の距離関係を決定すること、
前記距離関係に応じて、前記基地局群における基地局ごとに対し、それに対応する第２の無線チャネルリソースを割り当てること、
を含み、
前記第２の無線チャネルリソースは、前記基地局とそれに関連付けられる少なくとも１つの電子タグとの通信を確立するためのものである、ことを特徴とする無線リソース割当方法。
【請求項２】
前記エネルギー情報はエネルギー値を含み、前記エネルギー情報に基づいて、前記基地局群における各基地局の間の距離関係を決定することは、
前記エネルギー値が存在するエネルギー閾値区間を判断すること、および、
前記エネルギー値が存在するエネルギー閾値区間に基づいて、当該エネルギー値に関連付けられる２つの基地局の間の距離関係を決定すること、
を含む、
ことを特徴とする請求項１に記載の無線リソース割当方法。
【請求項３】
前記距離関係は、第１の距離関係及び/または第２の距離関係を含み、
前記第１の距離関係は、距離的に関連付けられる２つの基地局がそれぞれ異なる第２の無線チャネルリソースを用いて、互いに干渉せずにそれに関連付けられる少なくとも１つの電子タグと通信を確立することができることを示し、
前記第２の距離関係は、距離的に関連付けられる２つの基地局がそれぞれ同一の第２の無線チャネルリソースを用いて、互いに干渉せずにそれに関連付けられる少なくとも１つの電子タグと通信を確立することができることを示す、
ことを特徴とする請求項２に記載の無線リソース割当方法。
【請求項４】
前記距離関係が第１の距離関係を含む場合、前記距離関係に応じて、前記基地局群における基地局ごとに対し、それに対応する第２の無線チャネルリソースを割り当てることは、
前記基地局群のうちのいずれか１つの基地局を基準基地局とし、当該基準基地局に対し、それに対応する第２の無線チャネルリソースを割り当てること、および、
第１の距離関係と決定された基地局に対し、それに対応する第２の無線チャネルリソースを割り当てることを含み、
前記第２の無線チャネルリソースの間には、予め設定された間隔周波数帯域が隔てており、前記予め設定された間隔周波数帯域は前記第１の距離関係に対応する、
ことを特徴とする請求項３に記載の無線リソース割当方法。
【請求項５】
前記距離関係が第２の距離関係を含む場合、前記距離関係に応じて、前記基地局群における基地局ごとに対し、それに対応する第２の無線チャネルリソースを割り当てることは、
前記基地局群のうちのいずれか１つの基地局を基準基地局とし、当該基準基地局に対し、それに対応する第２の無線チャネルリソースを割り当てること、および、
第２の距離関係と決定された基地局に対し、それに対応する第２の無線チャネルリソースを割り当てることを含み、
前記第２の無線チャネルリソースは同じである、
ことを特徴とする請求項３または４に記載の無線リソース割当方法。
【請求項６】
前記距離関係が第１の距離関係を含む場合、かつ、前記第１の距離関係が少なくとも２つのサブタイプをさらに含む場合、
前記距離関係に応じて、前記基地局群における基地局ごとに対し、それに対応する第２の無線チャネルリソースを割り当てることは、
前記基地局群のうちのいずれか１つの基地局を基準基地局とし、当該基準基地局に対し、それに対応する第２の無線チャネルリソースを割り当てること、および、
前記サブタイプと決定された基地局に対し、それに対応する第２の無線チャネルリソースを割り当てることを含み、
前記第２の無線チャネルリソースの間には、予め設定された間隔周波数帯域が隔てており、前記予め設定された間隔周波数帯域は前記サブタイプに対応する、
ことを特徴とする請求項４に記載の無線リソース割当方法。
【請求項７】
前記距離関係に応じて、前記基地局群における基地局ごとに対し、それに対応する第２の無線チャネルリソースを順次に割り当てた後、
当該方法において、
トリガーイベントに応答して当該トリガーイベントに対応する予め設定された時間範囲内のチャネル走査結果を取得し、前記チャネル走査結果は、基地局群における基地局ごとに対して予め割り当てられた、それに対応する第２の無線チャネルリソースに対するモニター結果を含み、前記第２の無線チャネルリソースは、前記基地局とそれに関連付けられる少なくとも１つの電子タグとの通信を確立するためのものであること、
当該トリガーイベントに対応する予め設定された時間範囲内のチャネル走査結果に基づいて、前記第２の無線チャネルリソースに存在する干渉のタイプを判断すること、および、
前記干渉のタイプに応じてチャネル指示メッセージを生成し、前記チャネル指示メッセージは第３の無線チャネルリソースを含み、前記チャネル指示メッセージは、前記基地局とそれに関連付けられる少なくとも１つの電子タグの、前記第３の無線チャネルリソースに対する利用権限を指示するためのものであること
をさらに含む、
ことを特徴とする請求項１〜６のいずれか１項に記載の無線リソース割当方法。
【請求項８】
第１の情報セットを取得する前に、
前記方法において、
前記基地局群における基地局ごとに対し、前記第１の無線チャネルリソースで順に無線でブロードキャストすることを指示するための第１の情報コマンドを送信すること、および、
前記基地局群のうちのいずれか１つの基地局によって報告された前記第１の情報セットを受信すること、
を含む
ことを特徴とする請求項１〜７のいずれか１項に記載の無線リソース割当方法。
【請求項９】
基地局群のうちのいずれか１つの基地局によって実行される無線リソース割当方法であって、
前記基地局によってモニターされるエネルギー情報であって、前記基地局群のうちの他の基地局によって所定の第１の無線チャネルリソースにおいて無線でブロードキャストされるエネルギー情報を含む第１の情報セットをセンター管理装置に報告すること、および、
割り当てられた第２の無線チャネルリソースを前記センター管理装置から受信すること、
を含み、
前記第２の無線チャネルリソースは、前記センター管理装置が前記基地局と前記他の基地局との間の距離関係に応じて前記基地局に対して割り当てた、それに対応する無線チャネルリソースであり、
前記第２の無線チャネルリソースは、前記基地局とそれに関連付けられる少なくとも１つの電子タグとの通信を確立するためのものであり、
前記距離関係は、前記センター管理装置が前記エネルギー情報に基づいて決定されるものである、
ことを特徴とする無線リソース割当方法。
【請求項１０】
前記第１の情報セットを前記センター管理装置に報告する前に、
前記方法において、
前記センター管理装置によって送信される第１の情報コマンドであって、前記基地局群における基地局ごとに対し、前記第１の無線チャネルリソースで順に無線でブロードキャストすることを指示するための第１の情報コマンドを受信すること、および、
前記第１の無線チャネルリソースにおいて無線でブロードキャストすること、
をさらに含む、
ことを特徴とする請求項９に記載の無線リソース割当方法。
【請求項１１】
割り当てられた第２の無線チャネルリソースを前記センター管理装置から受信した後、
前記方法において、
チャネル走査結果をセンター管理装置に報告し、前記チャネル走査結果は、予め割り当てられた第２の無線チャネルリソースに対するモニター結果を含み、前記第２の無線チャネルリソースは、それに関連付けられる少なくとも１つの電子タグとの通信を確立するためのものであること、
チャネル指示メッセージを前記センター管理装置から受信し、前記チャネル指示メッセージは、第３の無線チャネルリソースを含み、前記チャネル指示メッセージは、前記センター管理装置が前記第２の無線チャネルリソースに存在する干渉のタイプに基づいて生成したものであり、前記干渉のタイプは、前記センター管理装置が、トリガーイベントに応答して当該トリガーイベントに対応する予め設定された時間範囲内のチャネル走査結果を取得して判断したものであること、および、
その後、それに関連付けられる前記少なくとも１つの電子タグが前記チャネル指示メッセージで指示される前記第２の無線チャネルリソースの利用権限に従って通信を確立するように制御すること、
をさらに含む、
ことを特徴とする請求項９または１０に記載の無線リソース割当方法。
【請求項１２】
センター管理装置と、少なくとも１つの基地局群とを含む電子タグシステムに用いられる無線リソース割当方法であって、
前記基地局群のうちのいずれか１つの基地局は、前記基地局によってモニターされ、前記基地局群のうちの他の基地局によって所定の第１の無線チャネルリソースにおいて無線でブロードキャストされるエネルギー情報を含む第１の情報セットをセンター管理装置に報告すること、
前記センター管理装置は、エネルギー情報に基づいて、前記基地局群における各基地局の間の距離関係を決定すること、
前記距離関係に応じて、前記基地局群における基地局ごとに対し、それに対応する第２の無線チャネルリソースを割り当て、前記第２の無線チャネルリソースは、前記基地局とそれに関連付けられる少なくとも１つの電子タグとの通信を確立するためのものであること、および、
前記基地局は、センター管理装置によって割り当てられた第２の無線チャネルリソースを受信すること、
を含むことを特徴とする無線リソース割当方法。
【請求項１３】
前記センター管理装置は、トリガーイベントに応答して当該トリガーイベントに対応する予め設定された時間範囲内のチャネル走査結果を取得し、前記チャネル走査結果は、基地局群における基地局ごとに対して予め割り当てられた、それに対応する第２の無線チャネルリソースに対するモニター結果を含み、前記第２の無線チャネルリソースは、前記基地局とそれに関連付けられる少なくとも１つの電子タグとの通信を確立するためのものであること、
当該トリガーイベントに対応する予め設定された時間範囲内のチャネル走査結果に基づいて、前記第２の無線チャネルリソースに存在する干渉のタイプを判断すること、および、
前記干渉のタイプに応じてチャネル指示メッセージを生成し、前記チャネル指示メッセージは第３の無線チャネルリソースを含み、前記チャネル指示メッセージは、前記基地局とそれに関連付けられる少なくとも１つの電子タグの、前記第３の無線チャネルリソースに対する利用権限を指示するためのものであること、および、
前記基地局は、前記チャネル指示メッセージを前記センター管理装置から受信し、その後、それに関連付けられる前記少なくとも１つの電子タグが前記チャネル指示メッセージで指示される前記第２の無線チャネルリソースの利用権限に従って通信を確立するように制御すること、
をさらに含む、
ことを特徴とする請求項１２に記載の無線リソース割当方法。
【請求項１４】
１つまたは複数のプロセッサと、
１つまたは複数のプログラムを記憶するための記憶装置と、
基地局群のうちのいずれか１つの基地局から報告された第１の情報セットを受信するための送受信装置と、
を備え、
前記第１の情報セットは、前記基地局によってモニターされるエネルギー情報であって、前記基地局群のうちの他の基地局によって所定の第１の無線チャネルリソースにおいて無線でブロードキャストされるエネルギー情報を含み、
前記プロセッサによって前記プログラムが実行された場合、請求項１〜７のいずれか１項に記載の方法が実現される、
ことを特徴とするセンター管理装置。
【請求項１５】
基地局群のうちのいずれか１つである基地局であって、
前記基地局によってモニターされるエネルギー情報であって、前記基地局群のうちの他の基地局によって所定の第１の無線チャネルリソースにおいて無線でブロードキャストされるエネルギー情報を含む第１の情報セットをセンター管理装置に報告するための送信装置と、
前記センター管理装置によって割り当てられた第２の無線チャネルリソースを受信するための受信装置と、を備え、
前記第２の無線チャネルリソースは、前記センター管理装置が前記基地局と前記他の基地局との間の距離関係に応じて前記基地局に対して割り当てた、それに対応する無線チャネルリソースであり、前記第２の無線チャネルリソースは、前記基地局とそれに関連付けられる少なくとも１つの電子タグとの通信を確立するためのものであり、前記距離関係は、前記センター管理装置が前記エネルギー情報に基づいて決定されるものである、ことを特徴とする基地局。
【請求項１６】
前記受信装置は、さらに、前記センター管理装置によって送信される第１の情報コマンドを受信するために用いられ、前記第１の情報コマンドは、前記基地局群における基地局ごとに対し、前記第１の無線チャネルリソースで順に無線でブロードキャストすることを指示するためのものであり、
前記送信装置は、さらに、前記第１の無線チャネルリソースにおいて無線でブロードキャストするために用いられる、ことを特徴とする請求項１５に記載の基地局。
【請求項１７】
前記送信装置は、さらに、チャネル走査結果をセンター管理装置に報告するために用いられ、前記チャネル走査結果は、予め割り当てられた第２の無線チャネルリソースに対するモニター結果を含み、前記第２の無線チャネルリソースは、それに関連付けられる少なくとも１つの電子タグとの通信を確立するためのものであり、
前記受信装置は、さらに、チャネル指示メッセージを前記センター管理装置から受信するために用いられ、前記チャネル指示メッセージは、第３の無線チャネルリソースを含み、前記チャネル指示メッセージは、前記センター管理装置が前記第２の無線チャネルリソースに存在する干渉のタイプに基づいて生成したものであり、前記干渉のタイプは、前記センター管理装置が、トリガーイベントに応答して当該トリガーイベントに対応しる予め設定された時間範囲内のチャネル走査結果を取得して判断したものである、ことを特徴とする請求項１５または１６に記載の基地局。
【請求項１８】
請求項１４に記載のセンター管理装置と、
少なくとも２つの請求項１５〜１７のいずれか１項に記載の基地局と、
を含む
ことを特徴とする電子タグシステム。
【請求項１９】
コンピュータ読取可能な記憶媒体であって、前記記憶媒体にコンピュータプログラムが記憶されており、
当該プログラムがプロセッサによって実行された場合、請求項１〜７のいずれか１項に記載の方法を実現させる、
ことを特徴とするコンピュータ読取可能な記憶媒体。
【発明の詳細な説明】
【技術分野】
【０００１】
本願は、２０１８年３月２３日に提出された、出願番号が２０１８１０２４９３６１.８で、発明名称が「リソース割当方法及び関連装置、システム、記憶媒体」である中国特許出願の優先権を要求しており、その内容の全ては引用により本願に組み込まれている。
【０００２】
本願は、無線通信の技術分野に関し、具体的には、電子タグの技術分野に関し、特にリソース割当方法及び関連デバイス、システム、記憶媒体に関する。
【背景技術】
【０００３】
RFID（Radio  Frequency  Identification：無線周波数認識）技術は、１９９０年代に興った自動認識技術であり、ライセンス不要の２.４GHz  ISM（Industrial  Scientific  Medical）帯域で動作しているとともに、帯域幅が広く、利用可能なリソースが多く、他の周波数帯域よりもさらに強い耐干渉能力を有している。開放的な無線通信規格として、RFID技術は、目下の多種のケーブル接続スキームを取って替え、統一的な短距離無線リンクにより、各情報デバイス間で情報リソースを共有することができるため、便利で迅速、柔軟で安全、低コストで低消費電力の音声やデータ通信が実現された。しかし、この共通周波数帯域は、他の異なる規格に従った無線ネットワーク、例えばWIFIで使用されることもある。それにより、実際な応用シナリオでは、当該共通周波数帯域の利用可能なチャネルリソースは非常に乏しい。
【０００４】
従来の基地局の配置時、チャネルリソースを手動の方法により割り当て、WIFIの汎用的なチャネルリソースを簡単に回避するだけである。また、エリアによって無線環境に差があるので、手動の方法によるチャネルの割当では、実施効率が低く、真の無線環境に応じて利用可能なチャネルリソースを利用することができず、基地局の並列度が少なくなり、基地局による通信効率が低下していく。
【発明の概要】
【発明が解決しようとする課題】
【０００５】
本発明は、従来技術における上記課題または不良を鑑みてなされたものであり、電子タグの通信前に無線環境に応じて無線チャネルリソースを動的に割り当てる技術案を提供することを目的にしている。
【課題を解決するための手段】
【０００６】
第１の態様では、本願における実施例は、センター管理装置によって実行される無線リソース割当方法であって、
リソースが割り当てられる基地局群のうちのいずれか１つの基地局によってモニターされ、前記基地局群のうちの他の基地局によって所定の第１の無線チャネルリソースにおいて無線でブロードキャストされるエネルギー情報を含む第１の情報セットを取得すること、
エネルギー情報に基づいて、基地局群における各基地局の間の距離関係を決定すること、
距離関係に応じて、基地局群における基地局ごとに対し、それに対応する第２の無線チャネルリソースを割り当てること、を含み、
第２の無線チャネルリソースは、基地局とそれに関連付けられる少なくとも１つの電子タグとの通信を確立するためのものである無線リソース割当方法を提供している。
【０００７】
第２の態様では、本願における実施例は、基地局群のうちのいずれか１つの基地局によって実行される無線リソース割当方法であって、
基地局によってモニターされ、基地局群のうちの他の基地局によって所定の第１の無線チャネルリソースにおいて無線でブロードキャストされるエネルギー情報を含む第１の情報セットをセンター管理装置に報告すること、および、
割り当てられた第２の無線チャネルリソースをセンター管理装置から受信することを含み、第２の無線チャネルリソースは、センター管理装置が基地局と他の基地局との間の距離関係に応じて基地局に対して割り当てそれに対応する無線チャネルリソースであり、第２の無線チャネルリソースは、基地局とそれに関連付けられる少なくとも１つの電子タグとの通信を確立するためのものであり、距離関係は、センター管理装置がエネルギー情報に基づいて決定されるものである無線リソース割当方法を提供している。
【０００８】
第３の態様では、本願における実施例は、センター管理装置と、少なくとも１つの基地局群とを含む電子タグシステムに用いられる無線リソース割当方法であって、
基地局群のうちのいずれか１つの基地局は、基地局によってモニターされ、基地局群のうちの他の基地局によって所定の第１の無線チャネルリソースにおいて無線でブロードキャストされるエネルギー情報を含む第１の情報セットをセンター管理装置に報告すること、
センター管理装置は、エネルギー情報に基づいて、基地局群における各基地局の間の距離関係を決定すること、
距離関係に応じて、基地局群における基地局ごとに対し、それに対応する第２の無線チャネルリソースを割り当て、第２の無線チャネルリソースは、基地局とそれに関連付けられる少なくとも１つの電子タグとの通信を確立するためのものであること、および、
基地局は、センター管理装置によって割り当てられた第２の無線チャネルリソースを受信すること、を含む無線リソース割当方法を提供している。
【０００９】
第４の態様では、本願における実施例は、
１つまたは複数のプログラムを記憶するための記憶装置と、
基地局群のうちのいずれか１つの基地局から報告された第１の情報セットを受信するための送受信装置と、を備え、第１の情報セットは、基地局によってモニターされ、基地局群のうちの他の基地局によって所定の第１の無線チャネルリソースにおいて無線でブロードキャストされるエネルギー情報を含み、
プロセッサによってプログラムが実行された場合、本願における実施例に記載の方法が実現される、センター管理装置を提供している。
【００１０】
第５の態様では、本願における実施例は、基地局群のうちのいずれか１つである基地局であって、
基地局によってモニターされ、基地局群のうちの他の基地局によって所定の第１の無線チャネルリソースにおいて無線でブロードキャストされるエネルギー情報を含む第１の情報セットをセンター管理装置に報告するための送信装置と、
センター管理装置によって割り当てられた第２の無線チャネルリソースを受信するための受信装置と、を備え、
第２の無線チャネルリソースは、センター管理装置が基地局と他の基地局との間の距離関係に応じて基地局に対して割り当てそれに対応する無線チャネルリソースであり、第２の無線チャネルリソースは、基地局とそれに関連付けられる少なくとも１つの電子タグとの通信を確立するためのものであり、距離関係は、センター管理装置がエネルギー情報に基づいて決定されるものである基地局を提供している。
【００１１】
第６の態様では、本願における実施例は、本願における実施例に記載のセンター管理装置と、少なくとも２つの本願における実施例に記載の基地局と、を含む電子タグシステムを提供している。
【００１２】
第７の態様では、本願における実施例は、コンピュータ読取可能な記憶媒体であって、記憶媒体にコンピュータプログラムが記憶されており、
当該プログラムは、プロセッサによって実行された場合、本願における実施例に記載の方法を実現させるコンピュータ読取可能な記憶媒体を提供している。
【発明の効果】
【００１３】
本願における実施例が提供している無線リソース割当の技術案は、電子タグシステムにおける基地局に対する無線リソースの割り当てが、無線環境の真の状況に応じて行わることができず、無線リソースを合理的に利用できないという問題を解決するために用いられることが可能である。基地局群における任意の基地局から報告された正しい情報セットを取得することにより、各基地局の間の距離関係を決定するとともに、距離関係を利用して、基地局ごとに対して無線チャネルリソースを割り当てる。エネルギー情報から基地局間の距離関係を決定することにより、無線環境の真の状況を客観的に反映することができ、また、基地局の距離関係により、基地局による同周波数の並列通信に対する判断に対して根拠を提供し、基地局のスループットを最大化して、リソースの割当による干渉問題を回避した。
【００１４】
本願における実施例では、さらに、割り当てられた無線チャネルリソースに干渉が存在するか否かを判断することにより、チャネルリソースを動的に調整するとともに、センター管理装置から発行されたチャネル指示メッセージにより、ターゲット的に新たに割り当てられた無線チャネルリソースを用いて通信を確立する。それにより、通信効率をさらに高めるとともに、電子タグシステムと他の同周波数帯域の無線通信装置との共存を実現することができ、利用可能なチャネルの使用率を最大限に向上した。
【図面の簡単な説明】
【００１５】
以下の添付図面を参照してなされた非限定的な実施例に対する詳細記述を閲覧したうえで、本願発明の他の特徴、目的、及び、利点はさらに明らかになるだろう。
【図１】図１は、本願における実施例にかかる電子タグ通信の応用シナリオを示す模式的なブロック図。
【図２】図２は、本願における実施例が提供している電子タグシステムに用いられる無線リソース割当方法の模式的なフローチャートを示す。
【図３】図３は、本願における実施例が提供している無線リソース割当方法の模式的なフローチャートを示す。
【図４】図４は、本願における実施例が提供している別の無線リソース割当方法の模式的なフローチャートを示す。
【図５】図５は、本願における実施例が提供しているセンター管理装置の構造模式図を示す。
【図６】図６は、本願における実施例が提供しているセンター管理装置の別の構造模式図を示す。
【図７】図７は、本願における実施例が提供している基地局の構造模式図を示す。
【図８】図８は、本願における実施例が提供している基地局の別の構造模式図を示す。
【図９】図９は、本願における実施例が提供している電子タグシステムの構造模式図を示す。
【発明を実施するための形態】
【００１６】
以下は、添付図面及び実施例を結び付けながら、本願発明をさらに詳しく説明する。ここに記載の具体的な実施例は、関連する発明を解釈するためのものに過ぎず、当該発明を限定するものではないことが理解できるだろう。また、説明すべきなのは、記述の便宜上、添付図面には、発明に関係する部分のみが示されている。
【００１７】
なお、矛盾しない場合、本願における実施例及び実施例に記載の特徴は互いに組み合わされてもよい。以下は、添付図面を参照しながら、実施例を組み合わせて本願発明を詳しく説明する。
【００１８】
電子タグは、電子値札、あるいは電子棚札  （Electronic  Shelf  Label、ESL）とも呼ばれる。電子タグは、価格を迅速かつ正確に表示する機能を有し、クライアントの満足度を向上させることができる。完全な電子タグシステムは、少なくとも、基地局（又は、無線アクセスポイントとも呼ばれる）、電子タグ、センター管理装置（又はサーバシステムとも呼ばれる）などが含まれる。
【００１９】
本願における実施例に係る電子タグシステムは、複数のセンター管理装置、複数の基地局、および各基地局に帰属する複数の電子タグを含み、センター管理装置は、各基地局に対し無線チャネルリソースを割り当てることで基地局間の隣接干渉を防止する役割を担う。基地局と当該基地局に帰属する各電子タグは、予め割り当てられた無線チャネルリソースを用いて通信を確立する。現実な応用シナリオでは、複数の基地局が存在し、例えば、５０以上の基地局が存在する場合、それらによって管轄されている電子タグの総量が約５００００個以上となり、基地局近傍に異なる程度の干渉があるとき、基地局によって管轄されている電子タグが干渉を受けることを回避できないようになる。
【００２０】
本願における実施例では、センター管理装置により、エネルギー情報について、基地局が配置される実際の無線環境を分析して、その後、当該環境に応じて、基地局に対して無線チャネルリソースを動的に割り当てる。
【００２１】
図１を参照して、図１は、本願における実施例にかかる電子タグによる通信の応用シナリオを示す模式的なブロック図である。
【００２２】
図１に示した応用シナリオでは、センター管理装置１１０を含み、基地局群は、複数の基地局、例えば、基地局１２０、１２１、１２２、１２３、１２４、１２５、及び、それらに関連付けられる複数の電子タグ、例えば、電子タグ１２０-１、１２０-n、１２１-１、１２１-n、１２２-１、１２２-n、１２４-１、１２４-n、１２５-１、１２５-nなどを含んでもよい。
【００２３】
図１に示されるように、センター管理装置１１０は、各基地局と電子タグを管理し、スケジューリングするために用いられる。基地局１２０、１２１、１２２、１２３、１２４、１２５の各々は、それらに関連付けられる電子タグとの通信を行うとともに、チャネル走査、周波数ホッピング通信などの機能を実行するために用いられる。
【００２４】
そのうち、電子タグ１２０-１、１２０-nは基地局１２０に帰属し、電子タグ１２１-１、１２１-nが基地局１２１などに帰属する。
【００２５】
図１に示した応用シナリオでは、基地局近傍には、同一の周波数帯域における他の無線ネットワークからの干渉、例えば、干渉源E、Fが存在する可能性がある。それらの干渉源は長期的なものとなる可能性があるし、短期的なものとなる可能性があるし、または、一時的なものとなる可能性もある。２.４GHzの周波数帯域のチャネルリソースには限界があることを考慮して、長期的に存在するまたは短期的に存在する干渉源に対し、無線リソースを動的に調整することで、電子タグ通信プロトコルと同周波数帯域の他の通信プロトコルとの共存を実現する、電子タグシステムに用いられる無線リソース管理方法を提供することが望ましい。
【００２６】
図１に示した応用シナリオを基にして、本願における実施例は、電子タグシステムに用いられる無線リソース割当方法を提案している。
【００２７】
図２を参照して、図２には、本願における実施例が提供している電子タグシステムに用いられる無線リソース割当方法のフローチャートが示される。
【００２８】
図２に示されるように、該方法において、以下のステップが含まれる。
【００２９】
ステップ２２０：センター管理装置は、リソースが割り当てられる基地局群における基地局ごとに対して、基地局群における基地局のそれぞれに第１の無線チャネルリソースで無線ブロードキャストを順に行わせることを指示するための第１の情報コマンドを送信する。
【００３０】
本願における実施例では、リソースが割り当てられる基地局群、例えば、基地局１２０、１２１、１２２、１２３、１２４、１２５は、センター管理装置によりチャネルリソースを統一に割り当てられる。センター管理装置は、まず、リソースが割り当てられる基地局群における基地局ごとに対して、第１の無線チャネルリソースf１で無線ブロードキャストを順に行わせることを指示するための情報コマンドを送信する。当該情報コマンドは、チャネル指示コマンドをブロードキャストしてもよく、又は、チャネルリソースの他のコマンドを付帯にブロードキャストする。
【００３１】
ステップ２４０：基地局群のうちのいずれか１つの基地局は、リソースが割り当てられる基地局群のうちのいずれか１つの基地局によってモニターされ、基地局群のうちの他の基地局によって所定の第１の無線チャネルリソースにおいて無線でブロードキャストされるエネルギー情報を含む第１の情報セットをセンター管理装置に報告する。
【００３２】
本願における実施例では、センター管理装置は、基地局から報告された第１の情報セットを受信し、各基地局は、他の基地局が第１の無線チャネルリソースf１において無線でブロードキャストするエネルギー情報をモニターする役割を担うとともに、モニターの結果を取得してから、そのモニターした他の基地局によるエネルギー情報を整合してパッケージ化処理した後、センター管理装置に自発的に報告する。基地局１２０から報告された第１の情報セットでは、例えば、｛B１２０-１２１、B１２０-１２２、B１２０-１２３、B１２０-１２４、B１２０-１２５｝が含まれてもよい。また、基地局１２１から報告された第１の情報セットでは、例えば、｛B１２１-１２０、B１２１-１２２、B１２１-１２３、B１２１-１２４、B１２１-１２５｝が含まれてもよく、基地局１２２から報告された第１の情報セットでは、例えば、｛B１２２-１２０、B１２２-１２１、B１２２-１２３、B１２２-１２４、B１２２-１２５｝｝が含まれてもよい、等々。そのうち、B１２０-１２１は、基地局１２１によってブロードキャストされ、基地局１２０が受信した信号のエネルギー情報であり、B１２０-１２２は、基地局１２２によってブロードキャストされ、基地局１２０が受信した信号のエネルギー情報であり、B１２２-１２３、B１２２-１２４、B１２２-１２５等についての理解が同様である。
【００３３】
センター管理装置は、報告された情報セットを受信してから、各エネルギー情報を処理して取得し、基地局間の距離関係の判断に用いる。
【００３４】
ステップ２６０：センター管理装置は、エネルギー情報に基づいて、基地局群における各基地局の間の距離関係を決定し、その後、距離関係に応じて、基地局群における基地局ごとに対し、それに対応する第２の無線チャネルリソースを割り当て、そのうち、当該第２の無線チャネルリソースは、基地局とそれに関連付けられる少なくとも１つの電子タグとの通信を確立するためのものである。
【００３５】
本願における実施例では、センター管理装置は、報告された第１の情報セットを受信した後、そのプロセッサが第１の情報セットをさらに取得して分析・判断する。
【００３６】
センター管理装置は、エネルギー情報に基づいて基地局間の相対的距離を判断することができ、その後、そのような相対的距離に応じて距離関連の基地局に対して無線チャネルリソースを割当て、それにより、距離関連の基地局は、干渉を受けずにそれに関連付けられる少なくとも１つの電子タグとの通信を行うことができる。
【００３７】
そのうち、エネルギー情報は、基地局が他の基地局をモニターしたエネルギー値情報であってもよい。例えば、エネルギー検出アルゴリズムによって得られたエネルギー値であってもよい。
【００３８】
エネルギー情報に基づいて、距離を判断し、例えば、エネルギー値と予め設定されたエネルギー閾値により判断することができ、または、エネルギー値が予め設定されたエネルギー閾値区間にあるか否かによって判断することもできる。エネルギー閾値区間は、機械学習アルゴリズムによって学習されて得られる可能であり、エンジニアリング経験に従って予め設定されることも可能である。エネルギー値が大きくなればなるほど、干渉がひどくなること、または、無線通信が行われていることを表す。エネルギー値が小さくなればなるほど、干渉の程度が小さくなることを表す。例えば、基地局１２０から報告された第１の情報セット｛B１２０-１２１、B１２０-１２２、B１２０-１２３、B１２０-１２４、B１２０-１２５｝を判断する。
【００３９】
エネルギー値が予め設定されたエネルギー区間にあるか否かを判断することを例にし、予め設定されたエネルギー区間は、例えば、[０,６０db]、[６０db-８０db]、[８０db-１００db]、および、[１００db,+]となる。B１２０-１２１が[１００,+]内にある場合、基地局１２０と基地局１２１との距離が近いことが示され、この場合に異なる周波数帯域の無線チャネルリソースを用いる必要があり、かつ、異なる周波数帯域間の間隔が大きいことが求められる。B１２０-１２１が[０,６０db]内にある場合、基地局１２０と基地局１２１との距離が遠いことが示され、この場合に、同一の周波数帯域の無線チャネルリソースを用いても、信号の干渉現象が発生することがない。
【００４０】
ステップ２８０：基地局は、センター管理装置によって割り当てられた第２の無線チャネルリソースを受信する。
【００４１】
本願における実施例では、センター管理装置は、距離関係に応じて、基地局群における基地局ごとに対し、それに対応する第２の無線チャネルリソースを割り当て、当該第２の無線チャネルリソースは、基地局とそれに関連付けられる少なくとも１つの電子タグのデフォルトチャネルリソースとされてもよい。通常の場合、基地局とそれに関連付けられる電子タグとの通信は、デフォルトチャネルリソースによって確立され、現在の通信が終了した後にも、デフォルトリソースが変更されない。しかし、デフォルトチャネルリソースは、無線環境の変化に応じて異なる程度の干渉を受けることがあり、それにより、センター管理装置によって割り当てられるリソースは正常に使用できなくなる。
【００４２】
基地局の周辺にある他の無線装置により発生する干渉問題を克服するために、本願における実施例では、変化している無線環境に応じてデフォルト無線チャネルリソースを調整することで、システムの通信効率を向上させることもできる。
【００４３】
選択的に、当該方法において、以下のステップが含まれてもよい。
【００４４】
ステップ２９０：センター管理装置は、トリガーイベントに応答して当該トリガーイベントに対応する予め設定された時間範囲内のチャネル走査結果を取得し、そのうち、チャネル走査結果は、基地局群における基地局ごとに対して予め割り当てられ、それに対応する第２の無線チャネルリソースに対するモニター結果を含み、当該第２の無線チャネルリソースは、前記基地局とそれに関連付けられる少なくとも１つの電子タグとの通信を確立するためのものである。
【００４５】
当該トリガーイベントに対応する予め設定された時間範囲内のチャネル走査結果に基づいて、当該第２の無線チャネルリソースに存在する干渉のタイプを判断する。
【００４６】
干渉のタイプに応じてチャネル指示メッセージを生成し、そのうち、チャネル指示メッセージは第３の無線チャネルリソースを含み、当該チャネル指示メッセージは、基地局とそれに関連付けられる少なくとも１つの電子タグの、第３の無線チャネルリソースに対する利用権限を指示するためのものである。
【００４７】
本願における実施例では、トリガーイベントは、例えば、センター管理装置１１０が、基地局１２０、１２１から報告されたチャネル走査結果及び/または外部のアプリケーションシステムからの電子タグ１２０-１、１２０-n及び/または１２１-１、１２１-nに対する電子タグ要求コマンドを受信したことであってよい。
【００４８】
センター管理装置１１０が基地局から報告されたチャネル走査結果を受信した場合、又は、センター管理装置１１０が外部のアプリケーションシステムからの電子タグの電子タグ要求コマンドを受信した場合、イベントをトリガする方式により、センター管理装置１１０のプロセッサは、トリガーイベントに対応する予め設定された時間範囲内のチャネル走査結果を取得させる。例えば、トリガーイベントが基地局１２０からチャネル走査結果が報告されることである場合、センター管理装置１１０が基地局１２０から報告されたチャネル走査結果を受信したときに、センター管理装置１１０が予め設定された時間範囲内のチャネル走査結果を取得するようにトリガして、その後、センター管理装置１１０は、予め設定された時間範囲内のチャネル走査結果に基づいて、基地局１２０に対して予め割り当てられた第２の無線チャネルリソースf１２０には干渉があるか否か、及び、干渉のタイプを判断する。予め設定された時間範囲は、過去２４時間内に基地局１２０から報告されたチャネル走査結果であってもよいが、具体的な時間に対する限定について、ここに本願をより良く理解するためのものに過ぎず、制限されるものではない。
【００４９】
さらに、例えば、トリガーイベントは、センター管理装置１１０が電子タグ１２１-１、１２１-nに対する外部のアプリケーションシステムの電子タグ要求指令を受信したことであってよく、センター管理装置１１０が予め設定された時間範囲内のチャネル走査結果を取得するようにトリガして、その後、センター管理装置１１０は、予め設定された時間範囲内のチャネル走査結果に基づいて、基地局１２１に対して予め割り当てられそれに対応する第２の無線チャネルリソースf１２１には干渉があるか否か、及び、干渉のタイプを判断する。予め設定された時間範囲は、トリガーイベントを受信する前の４時間内基地局１２１から報告されたチャネル走査結果であってもよいが、具体的な時間に対する限定について、ここに本願をより良く理解するためのものに過ぎず、制限されるものではない。
【００５０】
センター管理装置１１０のプロセッサは、取得した予め設定された時間範囲内のチャネル走査結果に基づいて、第１の無線チャネルリソースに存在する干渉のタイプを判断し、その後、干渉のタイプに応じてチャネル指示メッセージを生成し、かつ、チャネル指示メッセージは第３の無線チャネルリソースを含み、基地局とそれに関連付けられる少なくとも１つの電子タグが、チャネル指示メッセージで指示する第３の無線チャネルリソースに対する利用権限で通信を確立するように指示する。
【００５１】
第２の無線チャネルリソースf１２０に存在する干渉のタイプを判断する場合を例にして、本願の実施例をさらに説明する。
【００５２】
センター管理装置１１０のプロセッサにより、第２の無線チャネルリソースf１２０に長期的な干渉が存在すると判断された場合、第３の無線チャネルリソースf１２０’を割当てるとともに、基地局１２１に対して、第３の無線チャネルリソースf１２０’を用いて電子タグ１２０-１、１２０-nとの通信を完成した後、第３の無線チャネルリソースf１２０’を基地局１２０と電子タグ１２０-１、１２０-nとの間のデフォルトチャネルリソースとし、次の通信起動時、当該第３の無線チャネルリソースf１２０’を直接に用いて通信するように指示し、それにより、基地局１２０と電子タグ１２０-１、１２０-nとの間の通信が確保される。
【００５３】
センター管理装置１１０により、第２の無線チャネルリソースf１２０に短期的な干渉が存在すると判断された場合、第３の無線チャネルリソースf１２０’を割当てるとともに、基地局１０２に対して、第３の無線チャネルリソースf１２０’を用いて電子タグ１２０-１、１２０-nとの通信を完成した後、第３の無線チャネルリソースf１２０’を解放するように指示する。次の通信起動時、第２の無線チャネルリソースf１２０を依然として用いて通信する。それにより、基地局１２０と電子タグ１２０-１、１２０-nとの間の通信が確保される。
【００５４】
本願における実施例では、センター管理装置１１０は、その管理している基地局を１つずつ判断するとともに、その判断の結果に基づいてリソースを１つずつ調整することにより、ターゲット的に周波数ホッピングポリシーの制御を実現し、通信リソースを動的に調整し、通信効率が確保される。
【００５５】
選択的に、当該方法において、
基地局は、チャネル指示メッセージをセンター管理装置から受信し、その後、それに関連付けられる少なくとも１つの電子タグが、チャネル指示メッセージで指示される第３の無線チャネルリソースの利用権限に従って通信を確立するように制御すること、をさらに含んでもよい。
【００５６】
本願では、基地局から報告されたエネルギー情報解析、基地局間の距離関係により、距離関係に応じて、リソースを合理的に割り当てることで、リソースの多重化を実現し、システムの並列度を向上させ、チャネル利用率を高める。さらに、チャネルリソースの最適化ポリシーを提供し、干渉のタイプに応じて無線チャネルリソースを動的に調整することにより、ターゲット的に干渉問題を解決できるようになる。
【００５７】
図１に示した応用シナリオを基にして、本願における実施例は、無線リソース割当方法を提供している。図３を参照して、図３は、本願における実施例が提供している無線リソース割当方法の模式的なフローチャートが示される。当該方法について、センター管理装置１１０の角度から記述することにする。
【００５８】
図３に示されるように、該方法において、以下のステップが含まれてもよい。
【００５９】
ステップ３１０：リソースが割り当てられる基地局群のうちのいずれか１つの基地局によってモニターされ、基地局群のうちの他の基地局によって所定の第１の無線チャネルリソースにおいて無線でブロードキャストされるエネルギー情報を含む第１の情報セットを取得する。
【００６０】
本願における実施例では、センター管理装置１１０は、各基地局１２０、１２１、１２２、１２３、１２４、１２５から報告されたそれぞれの第１の情報セットを受信し、当該第１の情報セットが例えば、｛B１２０-１２１、B１２０-１２２、B１２０-１２３、B１２０-１２４、B１２０-１２５｝であってもよい。そのうち、Bは基地局によってモニターされ、他の基地局によって所定の第１の無線チャネルリソースにおいて無線でブロードキャストされるエネルギー情報である。
【００６１】
ステップ３２０：エネルギー情報に基づいて、基地局群における各基地局の間の距離関係を決定する。
【００６２】
本願における実施例では、センター管理装置は、第１の情報セットから各基地局のエネルギー情報を取得してから、エネルギー情報に基づいて、各基地局の間の距離を判断する。例えば、エネルギー値と予め設定されたエネルギー閾値から判断することができ、または、エネルギー値が予め設定されたエネルギー閾値区間にあるか否かによって判断することもでき、または、第１の情報セットにおけるエネルギー情報を順にから、順序付けの結果に基づいて判断することもできる。
【００６３】
そのうち、予め設定されたエネルギー閾値、エネルギー閾値区間は、機械学習アルゴリズムによって学習されて得られる可能であり、エンジニアリング経験に従って予め設定されることも可能である。エネルギー値が大きくなればなるほど、干渉がひどくなること、または、無線通信が行われていることを表す。エネルギー値が小さくなればなるほど、干渉の程度が小さくなることを表す。
【００６４】
そのうち、エネルギー閾値区間は例えば、複数の閾値区間を含んでもよい。例えば、第１の閾値区間[０,６０db]、第２の閾値区間[６０db-８０db]、第３の閾値区間[８０db-１００db]、および、第４の閾値区間[１００db,+]を含んでもよい。そのうち、第１の閾値区間に対応する距離関係は、第２の距離関係であり、第２、３、４、の閾値区間に対応する距離関係は、第１の距離関係である。本願における実施例では、各基地局の間の関係を距離関係で識別してもよい。距離関係は、また、それが周波数帯域の利用に対する影響の状況に応じて、第１の距離関係と第２の距離関係に分けられてもよい。第１の距離関係は、距離的に関連付けられる２つの基地局がそれぞれ、異なる第２の無線チャネルリソースを用いて、互いに干渉せずにその関連付けられる少なくとも１つの電子タグと通信を確立することができることを示す。第２の距離関係は、距離的に関連付けられる２つの基地局がそれぞれ、同一の第２の無線チャネルリソースを用いて、互いに干渉せずにその関連付けられる少なくとも１つの電子タグと通信を確立することができることを示す。エネルギー情報に対応する異なる閾値区間に応じて、第１の距離関係は、複数のサブタイプ、例えば、第１のサブタイプ、第２のサブタイプ、第３のサブタイプに分けられてもよい。
【００６５】
第２の距離関係に応じて、割り当てられる無線チャネルリソースは同一の周波数帯域のものであってもよい。第１の距離関係に対し、割り当てられる無線チャネルリソースは異なる周波数帯域のものでなければならず、かつ、異なる周波数帯域間には、一定の間隔が存在することが求められる。第１の距離関係のうちの第１のサブタイプに対し、割り当てられる無線チャネルリソース間の間隔は小さいものであってよい。例えば、１M、または、２Mであってよい。第１の距離関係のうちの第３のサブタイプに対し、割り当てられる無線チャネルリソース間の間隔は大きいものであってよい。例えば、５Mであってよい。
【００６６】
例えば、第２の閾値区間に対応する距離関係は第１のサブタイプであることが、２つの基地局間の距離が遠く、干渉程度が小さいことを示すので、割り当てられる無線チャネルリソースは間隔１Mの条件を満足しなければならない。第３の閾値区間に対応する距離関係は第２のサブタイプであることが、２つの基地局間の距離が第１のサブタイプよりも近いことを示すので、割り当てられる無線チャネルリソースはより大きな間隔、例えば、間隔２Mの条件を満足しなければならない。第３の閾値区間に対応する距離関係は第３のサブタイプであることが、２つの基地局間の距離が第２のサブタイプよりも近いことを示すので、割り当てられる無線チャネルリソースはより大きな間隔、例えば、間隔３Mの条件を満足しなければならない。
【００６７】
閾値区間の区分について、周波数帯域の間隔の具体的な値１M、２M、３Mは例示的に説明するためのものに過ぎず、具体的に限定するものではない。それらの区分や値は、具体的な環境に応じて調整され設定されてもよい。
【００６８】
好ましくは、エネルギー情報は、エネルギー値を含み、かつ、エネルギー情報に基づいて、基地局群における各基地局の間の距離関係を決定することは、
エネルギー値が存在するエネルギー閾値区間を判断すること、および、
エネルギー値が存在するエネルギー閾値区間に基づいて、当該エネルギー値に関連付けられる２つの基地局間の距離関係を決定すること、を含む。
【００６９】
ステップ３３０：距離関係に応じて、基地局群における基地局ごとに対し、それに対応する第２の無線チャネルリソースを割り当て、第２の無線チャネルリソースは、前記基地局とそれに関連付けられる少なくとも１つの電子タグとの通信を確立するためのものである。
【００７０】
本願における実施例では、ステップ３２０で基地局間の距離関係が判断された後、距離関係に対応するタイプに応じて基地局に対して無線チャネルリソースを割り当てることができる。
【００７１】
エネルギー情報が予め設定されたエネルギー閾値区間にある状況に応じて、基地局間の距離関係を判断することができる。距離関係が第１の距離関係を含む場合、距離関係に応じて、基地局群における基地局ごとに対し、それに対応する第２の無線チャネルリソースを割り当てることは、
基地局群のうちのいずれか１つの基地局を基準基地局とし、当該基準基地局に対し、それに対応する第２の無線チャネルリソースを割り当てること、および、
第１の距離関係と決定された基地局に対し、それに対応する第２の無線チャネルリソースを割り当てることを含んでもよく、第２の無線チャネルリソースの間には、予め設定された間隔周波数帯域が隔てており、当該予め設定された間隔周波数帯域が第１の距離関係に対応する。
【００７２】
第１の距離関係が少なくとも２つのサブタイプをさらに含む場合、距離関係に応じて、基地局群における基地局ごとに対し、それに対応する第２の無線チャネルリソースを割り当てることは、
基地局群のうちのいずれか１つの基地局を基準基地局とし、当該基準基地局に対し、それに対応する第２の無線チャネルリソースを割り当てること、および、
上記サブタイプと決定された基地局に対し、それに対応する第２の無線チャネルリソースを割り当てることを含んでもよく、第２の無線チャネルリソースの間には、予め設定された間隔周波数帯域が隔てており、当該予め設定された間隔周波数帯域が上記サブタイプに対応する。
【００７３】
例えば、センター管理装置１１０は、基地局１２０から報告された第１の情報セットを受信し、当該第１の情報セットが例えば、｛B１２０-１２１、B１２０-１２２、B１２０-１２３、B１２０-１２４、B１２０-１２５｝であってよい。基地局１２０は、基地局１２１のB１２０-１２１が[１００,+]内にあることを検出した場合、基地局１２０と基地局１２１が第１の距離関係の第３のサブタイプにあることが示され、第３のサブタイプに対応する無線チャネルリソースの割当条件は、異なる周波数帯域の無線チャネルリソースを用いなければならず、かつ、異なる周波数帯域間の間隔が大きいことが求められる。
【００７４】
基地局１２０と基地局１２１の距離関係に応じて、センター管理装置が基地局１２０に対して第２の無線チャネルリソースf２を割当てると、基地局１２１に対して割り当てる第２の無線チャネルリソースは、少なくとも、f２＋の間隔の周波数帯域を満足しなければならず、間隔周波数帯域は、例えば、３M、５Mなどであってよい。
【００７５】
距離関係が第２の距離関係を含む場合、距離関係に応じて、基地局群における基地局ごとに対し、それに対応する第２の無線チャネルリソースを割り当てることは、
基地局群のうちのいずれか１つの基地局を基準基地局とし、当該基準基地局に対し、それに対応する第２の無線チャネルリソースを割り当てること、および、
第２の距離関係と決定された基地局に対し、それに対応する第２の無線チャネルリソースを割り当てることを含んでよく、第２の無線チャネルリソースが同じである。
【００７６】
例えば、基地局１２０が、基地局１２１のB１２０-１２１が[０,６０db]内にあることをモニターした場合、基地局１２０と基地局１２１が第２の距離関係にあることが示され、第２の距離関係に対応する無線チャネルリソースの割当条件は、同一の周波数帯域の無線チャネルリソースであってよい。これは、基地局１２１と基地局１２１との距離が遠く、同一の周波数帯域の無線チャネルリソースを用いても、信号の干渉現象が発生することがないため。
【００７７】
本願における実施例では、ステップ３６０の後に、センター管理装置が取得したトリガーイベントにより、第２の無線チャネルリソースをさらに調整して、リソース管理の効率を高めることもできる。
【００７８】
選択的に、当該方法において、以下のステップが含まれてもよい。
【００７９】
ステップ３４０：トリガーイベントに応答して当該トリガーイベントに対応する予め設定された時間範囲内のチャネル走査結果を取得し、チャネル走査結果は、基地局群における基地局ごとに対して予め割り当てられそれに対応する第２の無線チャネルリソースに対するモニター結果を含み、第２の無線チャネルリソースは、前記基地局とそれに関連付けられる少なくとも１つの電子タグとの通信を確立するためのものである。
【００８０】
ステップ３５０：当該トリガーイベントに対応する予め設定された時間範囲内のチャネル走査結果に基づいて、第２の無線チャネルリソースに存在する干渉のタイプを判断する。
【００８１】
ステップ３６０：干渉のタイプに応じてチャネル指示メッセージを生成し、チャネル指示メッセージは第３の無線チャネルリソースを含み、チャネル指示メッセージは、基地局とそれに関連付けられる少なくとも１つの電子タグの、第３の無線チャネルリソースに対する利用権限を指示するためのものである。
【００８２】
トリガーイベントに応答して当該トリガーイベントに対応する予め設定された時間範囲内のチャネル走査結果を取得する同時に、当該トリガーイベントに対応する予め設定された条件をさらに取得し、または、トリガーイベントに応答して当該トリガーイベントに対応する予め設定された条件を決定し、または、トリガーイベントを受信したときデフォルトのプログラムに進んで、トリガーイベントに対応する予め設定された条件をコールする。ここでいう予め設定された条件は、例えば、閾値であってよい。例えば、第１の閾値及び/または第２の閾値であってよい。第１の閾値と第２の閾値の値について、システム統計履歴の平均回数または経験に基づいて設定された回数であってもよい。値の得り方について、ここで限定されていない。
【００８３】
当該トリガーイベントに対応する予め設定された時間範囲内のチャネル走査結果に基づいて、第１の無線チャネルリソースに存在する干渉のタイプを判断する。
【００８４】
本願における実施例では、予め設定された時間範囲内のチャネル走査結果に基づいて、第１の無線チャネルリソースに存在する干渉のタイプを判断することで、基地局の周辺環境の実際な状況を確定する。
【００８５】
選択的に、当該トリガーイベントに対応する予め設定された時間範囲内のチャネル走査結果に基づいて、第１の無線チャネルリソースに存在する干渉の頻度を計算する。
【００８６】
本願における実施例では、予め設定された時間範囲内の第２の無線チャネルリソースf２に対し、存在する干渉の回数を統計することにより、第２の無線チャネルリソースの干渉の頻度を取得することができる。
【００８７】
選択的に、前記干渉の頻度とトリガーイベントに対応する予め設定された条件とを比較することで、第２の無線チャネルリソースの干渉のタイプを確定してもよい。
【００８８】
干渉の頻度と予め設定された条件との比較により、第２の無線チャネルリソースf２に存在する干渉がどのような干渉に属するか、例えば、長期的な干渉に属するか、短期的な干渉に属するかを判断する。
【００８９】
選択的に、第２の無線チャネルリソースの干渉の頻度を計算することは、
当該トリガーイベントに対応する予め設定された時間範囲内のチャネル走査結果から、第２の無線チャネルリソースのチャネルデータを取得し、そのうち、チャネルデータが少なくとも、リアルタイムに測定された受信信号指示強度とデューティ比を含むこと、
受信信号指示強度とデューティ比により、第２の無線チャネルリソースの干渉状態を識別すること、
当該予め設定された時間範囲内に干渉状態が存在する回数と、当該予め設定された時間範囲内に第２の無線チャネルリソースをモニターする総回数との比を計算し、当該比を干渉の頻度とすること、を含んでもよい。
【００９０】
チャネル走査結果における干渉問題を表す指標データ、例えば、干渉測定情報、測定結果、受信信号指示強度、デューティー比などを取得する。受信信号指示強度、デューティー比を例にし、チャネル走査結果における受信信号指示強度を予め設定された第３の閾値と比較し、かつ、チャネル走査結果におけるデューティー比を第４の閾値と比較する。
【００９１】
受信信号指示強度が第３の閾値よりも低く、デューティー比が第４の閾値よりも高くなると、第２の無線チャネルリソースが干渉状態にあることを確定し、または、第２の無線チャネルリソースには、１次干渉が存在すると認定する。予め設定された時間範囲内のチャネル走査結果を統計し、分析することで、予め設定された時間範囲内の第２の無線チャネルリソースに干渉が現れた回数を取得し、その後、干渉回数と第２の無線チャネルリソースをモニターする総回数とから、予め設定された時間範囲内に第２の無線チャネルリソースが干渉を受けた程度を確定し、当該程度を予め設定された第１の閾値または第２の閾値と比較することにより、第２の無線チャネルリソースの干渉環境を判断することができる。
【００９２】
選択的に、第１の無線チャネルリソースの干渉のタイプを判断することは、さらに、
干渉の頻度を第１の閾値と比較すること、および、
干渉の頻度が第１の閾値よりも大きくなると、第２の無線チャネルリソースに長期的な干渉が存在すると判断すること、または、
干渉の頻度を第２の閾値と比較すること、および、
干渉の頻度が第２の閾値よりも大きくなると、第２の無線チャネルリソースに短期的な干渉が存在すると判断すること、を含む。
【００９３】
干渉のタイプに応じてチャネル指示メッセージを生成し、チャネル指示メッセージは第３の無線チャネルリソースを含み、チャネル指示メッセージは、基地局と当該基地局に帰属する少なくとも１つの電子タグの、第３の無線チャネルリソースに対する利用権限を指示するためのものである。
【００９４】
本願における実施例では、第２の無線チャネルリソースに存在する干渉のタイプに応じて、センター管理装置は、基地局に対して新たな無線チャネルリソースを動的に割り当てることができ、それにより、干渉による影響を回避し、通信効率を向上した。
【００９５】
センター管理装置１１０のプロセッサは、干渉のタイプを判断した後、チャネル指示メッセージを生成し、当該チャネル指示メッセージは、例えば、スケジューリングシグナリング、無線リソース制御シグナリング、および、物理層シグナリングなどのうちの１つであってよい。当該チャネル指示メッセージは、例えば、新たに割り当てられた無線チャネルリソースと、使用指示情報を含んでよい。そのうち、新たに割り当てられた無線チャネルリソースは、第２の無線チャネルリソースと同じサブ周波数帯域内の異なる間隔の周波数帯域のものであってよいし、異なるサブ周波数帯域内の異なる間隔の周波数帯域のものであってもよい。区別して表示するために、新たに割り当てられた無線チャネルリソースを第３の無線チャネルリソースと呼ぶ。そのうち、使用指示メッセージは、数値化の方式または標識化の方式によって実現され、基地局と当該基地局に帰属する電子タグに対し第３の無線チャネルリソースの利用権限を用いることを指示するためのものであってよい。当該利用権限は、今回の通信終了後、周波数ホッピングが行われたリソースを引き続き使用するか否かを示すものである。例えば、通信の終了後、周波数ホッピングが行われたリソースを、デフォルト通信リソースとして引き続き使用し、または、通信の終了後、周波数ホッピングが行われたリソースを解放して、次回の通信では、デフォルトの通信リソースに切り替える。
【００９６】
本願における実施例では、ステップ３１０の前に、
基地局群における基地局ごとに対して第１の無線チャネルリソースにおいて順に無線でブロードキャストすることを指示するための第１の情報コマンドを基地局群における基地局ごとに送信すること、
基地局群のうちのいずれか１つの基地局によって報告された前記第１の情報セットを受信すること、を含んでよい。
【００９７】
センター管理装置１１０の送受信装置は、基地局に対して第１の情報コマンドを送信するとともに、第１の情報セットを受信するために用いられ、当該送受信装置は、さらに、基地局から報告されたチャネル走査結果を受信するとともに、チャネル指示メッセージを基地局に送信するために用いられてよい。
【００９８】
センター管理装置は、情報コマンドを、リソースが割り当てられる基地局群における基地局ごとに対して送信する。当該情報コマンドは、少なくとも、基地局に対して第１の無線チャネルリソーf１において順に無線でブロードキャストすることを指示するためのチャネル情報を含む。当該情報コマンドは、チャネル指示コマンドをブロードキャストしてよく、又は、チャネルリソースの他のコマンドを付帯にブロードキャストしてもよい。
【００９９】
図１に示した応用シナリオに基づいて、本願における実施例は、電子タグシステムに用いられる別の無線リソース割当方法を提供している。図４を参照して、図４には、本願における実施例が提供している別の無線リソース割当方法のフローチャートが示され、当該方法について、基地局の角度から記述することにする。
【０１００】
図４に示されるように、該方法において、以下のステップが含まれてよい。
【０１０１】
ステップ４２０：基地局によってモニターされ、基地局群のうちの他の基地局によって所定の第１の無線チャネルリソースにおいて無線でブロードキャストされるエネルギー情報を含む第１の情報セットを、センター管理装置に報告する。
【０１０２】
本願における実施例では、基地局１２０、１２１、１２２、１２３、１２４、１２５の送信装置は、それぞれの第１の情報セットをセンター管理装置に報告し、例えば、基地局１２０から報告された第１の情報セットが｛B１２０-１２１、B１２０-１２２、B１２０-１２３、B１２０-１２４、B１２０-１２５｝であってよい。そのうち、Bは基地局によってモニターされ、他の基地局によって所定の第１の無線チャネルリソースにおいて無線でブロードキャストされるエネルギー情報であり、他の基地局は同様の方式により報告する。
【０１０３】
ステップ４４０：割り当てられた第２の無線チャネルリソースをセンター管理装置から受信し、当該第２の無線チャネルリソースは、センター管理装置が距離関係に応じて当該基地局に対して割り当て、それに対応する無線チャネルリソースであり、当該第２の無線チャネルリソースは、基地局とそれに関連付けられる少なくとも１つの電子タグとの通信を確立するためのものであり、当該距離関係は、前記センター管理装置が前記エネルギー情報に基づいて決定されるものである。
【０１０４】
本願における実施例では、基地局１２０、１２１、１２２、１２３、１２４、１２５は、基地局それぞれの受信装置によって、それぞれの第２の無線チャネルリソースをセンター管理装置１１０から受信する。その後、第２の無線チャネルリソースを用いてそれに関連付けられる電子タグとの通信を確立する。
【０１０５】
選択的なステップ４６０：チャネル走査結果をセンター管理装置に報告し、チャネル走査結果は、予め割り当てられた第２の無線チャネルリソースに対するモニター結果を含み、第２の無線チャネルリソースは、それに関連付けられる少なくとも１つの電子タグとの通信を確立するためのものである。
【０１０６】
本願における実施例では、センター管理装置によって割り当てられた第２の無線チャネルリソースを受信した後、基地局は、送信装置によって第２の無線チャネルリソースのモニター結果を自発的に報告してもよい。
【０１０７】
選択的なステップ４８０：チャネル指示メッセージを前記センター管理装置から受信し、チャネル指示メッセージは、第３の無線チャネルリソースを含み、チャネル指示メッセージは、センター管理装置により第２の無線チャネルリソースに存在する干渉のタイプに基づいて生成したものであり、干渉のタイプは、センター管理装置が、トリガーイベントに応答して当該トリガーイベントに対応する予め設定された時間範囲内のチャネル走査結果を取得して判断して得られたものである。
【０１０８】
本願における実施例では、チャネル指示メッセージは、第３の無線チャネルリソースを含み、当該チャネル指示メッセージは、センター管理装置により第２の無線チャネルリソースに存在する干渉のタイプに基づいて生成したものであり、干渉のタイプは、センター管理装置が、トリガーイベントに応答して当該トリガーイベントに対応する予め設定された時間範囲内のチャネル走査結果を取得して判断して得られたものである。
【０１０９】
チャネル指示メッセージには、使用指示が含まれてもよい。または、チャネル指示メッセージに基づいて、対応した使用指示を取得し、当該使用指示が第３の無線チャネルリソースに対する利用権限を指示するためのものである。
【０１１０】
選択的に、当該方法において、それに関連付けられる少なくとも１つの電子タグがチャネル指示メッセージで指示される第３の無線チャネルリソースの利用権限に従って通信を確立するように制御することをさらに含んでもよい。
【０１１１】
基地局の受信装置は、チャネル指示メッセージを受信した後、基地局のプロセッサをトリガして、チャネル指示メッセージで提供された第３の無線チャネルリソースを用いてそれに関連付けられる電子タグとの通信をそれぞれ、確立する。
【０１１２】
例えば、基地局１２０と電子タグ１２０-１、１２０-nとが第３の無線チャネルリソースf３によって通信が確立されるとともに、チャネル指示メッセージにおける使用指示に基づいて、通信が完成した後、第３の無線チャネルリソースf３を補正してデフォルトのチャネルリソースとし、または、通信が完成した後、第３の無線チャネルリソースf３を解放する。
【０１１３】
即ち、使用指示が第１の使用指示であれば、第２の無線チャネルリソースを用いて電子タグとの通信を完成した後、第２の無線チャネルリソースを補正して第１の無線チャネルリソースとし、または、使用指示が第２の使用指示であれば、第２の無線チャネルリソースを用い電子タグとの通信を完成した後、当該第２の無線チャネルリソースを解放する。そのうち、第１の使用指示と第２の使用指示は、指示内容を区別させるためのものである。使用指示の形式について、何らかの限定がされていない。
【０１１４】
基地局がチャネル指示メッセージを受信した後、当該方法において、
帰属する少なくとも１つの電子タグに対してチャネル指示メッセージをブロードキャストして通知することをさらに含んでもよい。
【０１１５】
本願における実施例では、基地局の送信装置によって、帰属する少なくとも１つの電子タグに対してチャネル指示メッセージをブロードキャストして通知する。
【０１１６】
通信効率を確保するために、ブロードキャスト信号のエネルギー値を大きくすること、及び／または、ブロードキャストの時間を延ばすことにより、チャネル指示メッセージをブロードキャストして通知してもよい。
【０１１７】
本願における実施例では、変化している無線環境においてチャネルリソースの干渉状況をリアルタイムに識別し、インテリジェント周波数ホッピング方案を提供することで電子タグシステムと同一の周波数帯域の他の通信製品とが共存する問題を解決し、さらに、電子タグシステムの通信効率を向上させる。
【０１１８】
図１に示した応用シナリオを基にして、本願における実施例は、電子タグシステムに用いられるセンター管理装置を提供している。図５を参照して、図５は、本願における実施例が提供しているセンター管理装置の構造模式図を示す。
【０１１９】
図５に示されるように、当該センター管理装置５００は、以下の部材を含んでもよい。
【０１２０】
第１の取得部５１０は、第１の情報セットを取得するためのものであり、第１の情報セットは、リソースが割り当てられる基地局群のうちのいずれか１つの基地局によってモニターされ、当該基地局群のうちの他の基地局によって所定の第１の無線チャネルリソースにおいて無線でブロードキャストされるエネルギー情報を含む。
【０１２１】
本願における実施例では、センター管理装置１１０は、各基地局１２０、１２１、１２２、１２３、１２４、１２５から報告されたそれぞれの第１の情報セットを受信し、当該第１の情報セットが例えば、｛B１２０-１２１、B１２０-１２２、B１２０-１２３、B１２０-１２４、B１２０-１２５｝であってよい。そのうち、Bは基地局によってモニターされ、他の基地局によって所定の第１の無線チャネルリソースにおいて無線でブロードキャストされるエネルギー情報である。
【０１２２】
確定部５２０は、エネルギー情報に基づいて、基地局群における各基地局の間の距離関係を決定する。
【０１２３】
本願における実施例では、センター管理装置は、第１の情報セットから各基地局のエネルギー情報を取得してから、エネルギー情報に基づいて、各基地局の間の距離を判断する。例えば、エネルギー値と予め設定されたエネルギー閾値から判断することができ、または、エネルギー値が予め設定されたエネルギー閾値区間にあるか否かによって判断することもでき、または、第１の情報セットにおけるエネルギー情報を順序付けてから、順序付けの結果に基づいて判断することもできる。
【０１２４】
そのうち、予め設定されたエネルギー閾値、エネルギー閾値区間は、機械学習アルゴリズムによって学習されて得られる可能であり、エンジニアリング経験に従って予め設定されることも可能である。エネルギー値が大きくなればなるほど、干渉がひどくなること、または、無線通信が行われていることを表す。エネルギー値が小さくなればなるほど、干渉の程度が小さくなることを表す。
【０１２５】
そのうち、エネルギー閾値区間は例えば、複数の閾値区間を含んでもよい。例えば、第１の閾値区間[０,６０db]、第２の閾値区間[６０db-８０db]、第３の閾値区間[８０db-１００db]、および、第４の閾値区間[１００db,+]を含んでもよい。そのうち、第１の閾値区間に対応する距離関係は、第２の距離関係であり、第２、３、４、の閾値区間に対応する距離関係は、第１の距離関係である。本願における実施例では、各基地局の間の関係を距離関係で標識されてもよい。距離関係は、また、それが周波数帯域の利用に対する影響の状況に応じて、第１の距離関係と第２の距離関係に分けられてもよい。第１の距離関係は、距離的に関連付けられる２つの基地局がそれぞれ、異なる第２の無線チャネルリソースを用いて、互いに干渉せずにその関連付けられる少なくとも１つの電子タグと通信を確立することができることを示す。第２の距離関係は、距離的に関連付けられる２つの基地局がそれぞれ、同一の第２の無線チャネルリソースを用いて、互いに干渉せずにそれに関連付けられる少なくとも１つの電子タグと通信を確立することができることを示す。エネルギー情報に対応する異なる閾値区間に応じて、第１の距離関係は、複数のサブタイプ、例えば、第１のサブタイプ、第２のサブタイプ、第３のサブタイプに分けられてもよい。
【０１２６】
第２の距離関係に対して、割り当てられる無線チャネルリソースは同一の周波数帯域のものであってよい。第１の距離関係に対し、割り当てられる無線チャネルリソースは異なる周波数帯域のものでなければならず、かつ、異なる周波数帯域間には、一定の間隔が存在することが求められる。第１の距離関係のうちの第１のサブタイプに対し、割り当てられる無線チャネルリソース間の間隔は小さいものであってよい。例えば、１M、または、２Mであってもよい。第１の距離関係のうちの第３のサブタイプに対し、割り当てられる無線チャネルリソース間の間隔は大きいものであってよい。例えば、５Mであってもよい。
【０１２７】
例えば、第２の閾値区間に対応する距離関係は第１のサブタイプであることが、２つの基地局間の距離が遠く、干渉程度が小さいことを示すので、割り当てられる無線チャネルリソースは間隔１Mの条件を満足しなければならない。第３の閾値区間に対応する距離関係は第２のサブタイプであることが、２つの基地局間の距離が第１のサブタイプよりも近いことを示すので、割り当てられる無線チャネルリソースはより大きな間隔、例えば、間隔２Mの条件を満足しなければならない。第３の閾値区間に対応する距離関係は第３のサブタイプであることが、２つの基地局間の距離が第２のサブタイプよりも近いことを示すので、割り当てられる無線チャネルリソースはより大きな間隔、例えば、間隔３Mの条件を満足しなければならない。
【０１２８】
閾値区間の分割について、周波数帯域の間隔の具体的な値１M、２M、３Mは例示的に説明するためのものに過ぎず、具体的に限定するものではない。それらの区分や値は、具体的な環境に応じて調整され設定されてもよい。
【０１２９】
好ましくは、エネルギー情報は、エネルギー値を含み、かつ、エネルギー情報に基づいて、基地局群における各基地局の間の距離関係を決定することは、
エネルギー値が存在するエネルギー閾値区間を判断すること、および、
エネルギー値が存在するエネルギー閾値区間に基づいて、当該エネルギー値に関連付けられる２つの基地局間の距離関係を決定すること、を含む。
【０１３０】
割当部５３０は、距離関係に応じて、基地局群における基地局ごとに対し、それに対応する第２の無線チャネルリソースを割り当てるためのものであり、第２の無線チャネルリソースは、基地局とそれに関連付けられる少なくとも１つの電子タグとの通信を確立するためのものである。
【０１３１】
本願における実施例では、基地局間の距離関係が判断された後、距離関係に対応するタイプに応じて基地局に対して無線チャネルリソースを割り当てることができる。
【０１３２】
エネルギー情報が予め設定されたエネルギー閾値区間にある状況に応じて、基地局間の距離関係を判断することができる。距離関係が第１の距離関係を含む場合、距離関係に応じて、基地局群における基地局ごとに対し、それに対応する第２の無線チャネルリソースを割り当てることは、
基地局群のうちのいずれか１つの基地局を基準基地局とし、当該基準基地局に対し、それに対応する第２の無線チャネルリソースを割り当てること、および、
第１の距離関係と決定された基地局に対し、それに対応する第２の無線チャネルリソースを割り当てることを含んでもよく、第２の無線チャネルリソースの間には、予め設定された間隔周波数帯域が隔てており、当該予め設定された間隔周波数帯域は第１の距離関係に対応する。
【０１３３】
第１の距離関係が少なくとも２つのサブタイプをさらに含む場合、距離関係に応じて、基地局群における基地局ごとに対し、それに対応する第２の無線チャネルリソースを割り当てることは、
基地局群のうちのいずれか１つの基地局を基準基地局とし、当該基準基地局に対し、それに対応する第２の無線チャネルリソースを割り当てること、および、
上記サブタイプと決定された基地局に対し、それに対応する第２の無線チャネルリソースを割り当てることを含んでもよく、第２の無線チャネルリソースの間には、予め設定された間隔周波数帯域が隔てており、当該予め設定された間隔周波数帯域が上記サブタイプに対応する。
【０１３４】
例えば、センター管理装置１１０は、基地局１２０から報告された第１の情報セットを受信し、当該第１の情報セットが例えば、｛B１２０-１２１、B１２０-１２２、B１２０-１２３、B１２０-１２４、B１２０-１２５｝であってよい。基地局１２０によって、基地局１２１のB１２０-１２１が[１００,+]内にあることをモニターした場合、基地局１２０と基地局１２１が第１の距離関係の第３のサブタイプであることが示され、第３のサブタイプに対応する無線チャネルリソースの割当条件は、異なる周波数帯域の無線チャネルリソースを用いなければならず、かつ、異なる周波数帯域間の間隔が大きいことが求められる。
【０１３５】
基地局１２０と基地局１２１の距離関係に応じて、センター管理装置が基地局１２０に対して第２の無線チャネルリソースf２を割当てると、基地局１２１に対して割り当てる第２の無線チャネルリソースは、少なくとも、f２＋の間隔の周波数帯域を満足しなければならず、間隔周波数帯域は、例えば、３M、５Mなどであってよい。
【０１３６】
距離関係が第２の距離関係を含む場合、距離関係に応じて、基地局群における基地局ごとに対し、それに対応する第２の無線チャネルリソースを割り当てることは、
基地局群のうちのいずれか１つの基地局を基準基地局とし、当該基準基地局に対し、それに対応する第２の無線チャネルリソースを割り当てること、および、
第２の距離関係と決定された基地局に対し、それに対応する第２の無線チャネルリソースを割り当てることを含んでよく、第２の無線チャネルリソースが同じである。
【０１３７】
例えば、基地局１２０が、基地局１２１のB１２０-１２１が[０,６０db]内にあることをモニターした場合、基地局１２０と基地局１２１が第２の距離関係にあることが示され、第２の距離関係に対応する無線チャネルリソースの割当条件は、同一の周波数帯域の無線チャネルリソースであってよい。これは、基地局１２１と基地局１２１との距離が遠く、同一の周波数帯域の無線チャネルリソースを用いても、信号の干渉現象が発生することがないため。
【０１３８】
本願における実施例では、センター管理装置が取得したトリガーイベントにより、第２の無線チャネルリソースをさらに調整して、リソース管理の効率を高めることもできる。
【０１３９】
選択的に、当該センター管理装置５００は、以下の各部をさらに含んでもよい。
【０１４０】
第２の取得部５４０は、トリガーイベントに応答して当該トリガーイベントに対応する予め設定された時間範囲内のチャネル走査結果を取得するためのものであり、チャネル走査結果は、基地局群における基地局ごとに対して予め割り当てられそれに対応する第２の無線チャネルリソースに対するモニター結果を含み、第２の無線チャネルリソースは、前記基地局とそれに関連付けられる少なくとも１つの電子タグとの通信を確立するためのものである。
【０１４１】
判断部５５０は、当該トリガーイベントに対応する予め設定された時間範囲内のチャネル走査結果に基づいて、第２の無線チャネルリソースに存在する干渉のタイプを判断するためのものである。
【０１４２】
生成部５６０は、干渉のタイプに応じてチャネル指示メッセージを生成するためのものであり、チャネル指示メッセージは第３の無線チャネルリソースを含み、チャネル指示メッセージは、基地局とそれに関連付けられる少なくとも１つの電子タグの、第３の無線チャネルリソースに対する利用権限を指示するためのものである。
【０１４３】
トリガーイベントに応答して当該トリガーイベントに対応する予め設定された時間範囲内のチャネル走査結果を取得する同時に、当該トリガーイベントに対応する予め設定された条件をさらに取得し、または、トリガーイベントに応答して当該トリガーイベントに対応する予め設定された条件を決定し、または、トリガーイベントを受信したときデフォルトのプログラムに進んで、トリガーイベントに対応する予め設定された条件をコールする。ここでいう予め設定された条件は、例えば、閾値であってよい。例えば、第１の閾値及び/または第２の閾値であってよい。第１の閾値と第２の閾値の値について、システム統計履歴の平均回数または経験に基づいて設定された回数であってもよい。値の得り方について、ここで限定されていない。
【０１４４】
当該トリガーイベントに対応する予め設定された時間範囲内のチャネル走査結果に基づいて、第１の無線チャネルリソースに存在する干渉のタイプを判断する。
【０１４５】
本願における実施例では、予め設定された時間範囲内のチャネル走査結果に基づいて、第１の無線チャネルリソースに存在する干渉のタイプを判断することで、基地局の周辺環境の実際な状況を確定する。
【０１４６】
選択的に、当該トリガーイベントに対応する予め設定された時間範囲内のチャネル走査結果に基づいて、第１の無線チャネルリソースに存在する干渉の頻度を計算する。
【０１４７】
本願における実施例では、予め設定された時間範囲内の第２の無線チャネルリソースf２に対し、存在する干渉の回数を統計することにより、第２の無線チャネルリソースの干渉の頻度を取得することができる。
【０１４８】
選択的に、前記干渉の頻度とトリガーイベントに対応する予め設定された条件とを比較することで、第２の無線チャネルリソースの干渉のタイプを確定してもよい。
【０１４９】
干渉の頻度と予め設定された条件との比較により、第２の無線チャネルリソースf２に存在する干渉がどのような干渉に属するか、例えば、長期的な干渉に属するか、短期的な干渉に属するかを判断する。
【０１５０】
選択的に、第２の無線チャネルリソースの干渉の頻度を計算することは、
当該トリガーイベントに対応する予め設定された時間範囲内のチャネル走査結果から、第２の無線チャネルリソースのチャネルデータを取得し、そのうち、チャネルデータが少なくとも、リアルタイムに測定された受信信号指示強度とデューティ比を含むこと、
受信信号指示強度とデューティ比により、第２の無線チャネルリソースの干渉状態を識別すること、
当該予め設定された時間範囲内に干渉状態が存在する回数と、当該予め設定された時間範囲内に第２の無線チャネルリソースをモニターする総回数との比を計算し、当該比を干渉の頻度とすること、を含んでもよい。
【０１５１】
チャネル走査結果における干渉問題を表す指標データ、例えば、干渉測定情報、測定結果、受信信号指示強度、デューティー比などを取得する。受信信号指示強度、デューティー比を例にし、チャネル走査結果における受信信号指示強度を予め設定された第３の閾値と比較し、かつ、チャネル走査結果におけるデューティー比を第４の閾値と比較する。
【０１５２】
受信信号指示強度が第３の閾値よりも低く、デューティー比が第４の閾値よりも高くなると、第２の無線チャネルリソースが干渉状態にあることを確定し、または、第２の無線チャネルリソースには、１次干渉が存在すると認定する。予め設定された時間範囲内のチャネル走査結果を統計し、分析することで、予め設定された時間範囲内の第２の無線チャネルリソースに干渉が現れた回数を取得し、その後、干渉回数と第２の無線チャネルリソースをモニターする総回数とから、予め設定された時間範囲内に第２の無線チャネルリソースが干渉を受けた程度を確定し、当該程度を予め設定された第１の閾値または第２の閾値と比較することにより、第２の無線チャネルリソースの干渉環境を判断することができる。
【０１５３】
選択的に、第１の無線チャネルリソースの干渉のタイプを判断することは、さらに、
干渉の頻度を第１の閾値と比較すること、および、
干渉の頻度が第１の閾値よりも大きくなると、第２の無線チャネルリソースに長期的な干渉が存在すると判断すること、または、
干渉の頻度を第２の閾値と比較すること、および、
干渉の頻度が第２の閾値よりも大きくなると、第２の無線チャネルリソースに短期的な干渉が存在すると判断すること、を含む。
【０１５４】
干渉のタイプに応じてチャネル指示メッセージを生成し、チャネル指示メッセージは第３の無線チャネルリソースを含み、チャネル指示メッセージは、基地局と当該基地局に帰属する少なくとも１つの電子タグの、第３の無線チャネルリソースに対する利用権限を指示するためのものである。
【０１５５】
本願における実施例では、第２の無線チャネルリソースに存在する干渉のタイプに応じて、センター管理装置は、基地局に対して新たな無線チャネルリソースを動的に割り当てることができ、それにより、干渉による影響を回避し、通信効率を向上した。
【０１５６】
センター管理装置１１０のプロセッサは、干渉のタイプを判断した後、チャネル指示メッセージを生成し、当該チャネル指示メッセージは、例えば、スケジューリングシグナリング、無線リソース制御シグナリング、および、物理層シグナリングなどのうちの１つであってよい。当該チャネル指示メッセージは、例えば、新たに割り当てられた無線チャネルリソースと、使用指示情報を含んでよい。そのうち、新たに割り当てられた無線チャネルリソースは、第２の無線チャネルリソースと同じサブ周波数帯域内の異なる間隔の周波数帯域のものであってよいし、異なるサブ周波数帯域内の異なる間隔の周波数帯域のものであってもよい。区別して表示するために、新たに割り当てられた無線チャネルリソースを第３の無線チャネルリソースと呼ぶ。そのうち、使用指示メッセージは、数値化の方式または標識化の方式によって実現され、基地局と当該基地局に帰属する電子タグに対し第３の無線チャネルリソースの利用権限を用いることを指示するためのものであってよい。当該利用権限は、今回の通信終了後、周波数ホッピングが行われたリソースを引き続き使用するか否かを示すものである。例えば、通信の終了後、周波数ホッピングが行われたリソースを、デフォルト通信リソースとして引き続き使用し、または、通信の終了後、周波数ホッピングが行われたリソースを解放して、次回の通信では、デフォルトの通信リソースに切り替える。
【０１５７】
図１に示した応用シナリオを基にして、本願における実施例は、電子タグシステムに用いられるセンター管理装置を提供している。図６を参照して、図６は、本願における実施例が提供しているセンター管理装置の別の構造模式図を示す。
【０１５８】
図６に示されるように、センター管理装置６００は、基地局と通信するための送受信装置６１０と、少なくとも１つのプロセッサ６１０を含む。
【０１５９】
センター管理装置６００は、１つまたは複数の送受信装置６１０を含んでよい。送受信装置６１０は、イーサネットアダプター、無線送受信機などを含んでよい。それにより、有線または無線媒体を介して、例えば、イーサネット、無線イーサネットなどのプロトコルを用いて通信することができる。送受信装置６０１は、基地局との情報交換を行うためのものであり、例えば、基地局から報告されたチャネル走査結果などを受信し、各種類の通信コマンドを基地局に送信して、基地局と当該基地局に帰属する少なくとも１つの電子タグとの通信を実現できることが確保される。
【０１６０】
センター管理装置６００は、異なるコア配置（複数のコアを含む）と時間・周波数を含む１つまたは複数のプロセッサ６２０をさらに含んでもよい。１つまたは複数のプロセッサ６２０は、操作可能なプロセッサ６２０であってよく、それにより、コマンドの実行やロジックの応用などが実現される。それらの機能は、並行に操作され、及び／または通信によってリンクされた複数のプロセッサまたは単一のチップにおける複数のコアによって提供されることが意識される。プロセッサ６２０は、相応なプログラムコマンドを実行することで、例えば図３に示された無線リソース割当方法のような無線チャネルリソースの割当をスケジューリングして管理する。
【０１６１】
センター管理装置６００は、記憶装置６３０を含んでよく、記憶装置６３０が様々な物理的サイズ、記憶能力、記憶容量等を有する１つまたは複数のメモリ装置及び／又は、フラッシュドライバ、ディスク、ランダムアクセスメモリなどのようなコンピュータ読取可能な媒体であってもよい。それにより、画像、テキストのようなデータ、および、プロセッサ６２０によって実行されるプログラムコマンドを記憶することができる。記憶装置６３０は、少なくとも１つのプロセッサ６２０から離れた記憶装置であってもよい。本願における実施例では、制限されていない。
【０１６２】
本願における実施例では、記憶装置６０３には、プロセッサ６０２によって実行されるコマンドが記憶されてよい。プロセッサ６２０が要求すると、１つまたは複数のプログラム６５０またはそのうちの一部は記憶装置６３０からロードされて、図３に示された無線チャネルリソース管理方法が実行される。
【０１６３】
センター管理装置６００は、１つまたは複数のディスプレイ、入力装置などに通信を行うための１つまたは複数の周辺装置インターフェース６４０を含む。周辺装置インターフェース６４０は、任意のキーボード、マウス、タッチパネル等の入力及び／または出力用の周辺装置などと通信することもできる。
【０１６４】
図１に示した応用シナリオを基にして、本願における実施例は、電子タグシステムに用いられる別の基地局を提供している。図７を参照して、図７は、本願における実施例が提供している基地局の構造模式図を示す。当該基地局７００は、図１に示された基地局１２０、１２１、１２２、１２３、１２４、１２５であってよい。
【０１６５】
図７に示されるように、当該基地局７００は、以下の各部を含んでもよい。
【０１６６】
送信装置７１０は、基地局によってモニターされ、基地局群のうちの他の基地局によって所定の第１の無線チャネルリソースにおいて無線でブロードキャストされるエネルギー情報を含む第１の情報セットをセンター管理装置に報告するためのものである。
【０１６７】
受信装置７２０は、センター管理装置により割り当てられた第２の無線チャネルリソースを受信するためのものであり、当該第２の無線チャネルリソースは、センター管理装置が距離関係に応じて当該基地局に対して割り当て、それに対応する無線チャネルリソースであり、当該第２の無線チャネルリソースは、基地局とそれに関連付けられる少なくとも１つの電子タグとの通信を確立するためのものであり、当該距離関係は、前記センター管理装置が前記エネルギー情報に基づいて決定されるものである。
【０１６８】
選択的に、送信装置７１０は、さらに、チャネル走査結果をセンター管理装置に報告するためのものであり、チャネル走査結果は、予め割り当てられた第２の無線チャネルリソースに対するモニター結果を含み、第２の無線チャネルリソースは、それに関連付けられる少なくとも１つの電子タグとの通信を確立するためのものである。
【０１６９】
選択的に、受信装置７２０は、さらに、チャネル指示メッセージを前記センター管理装置から受信するためのものであり、チャネル指示メッセージは、第３の無線チャネルリソースを含み、チャネル指示メッセージは、センター管理装置により第２の無線チャネルリソースに存在する干渉のタイプに基づいて生成したものであり、干渉のタイプは、センター管理装置が、トリガーイベントに応答して当該トリガーイベントに対応する予め設定された時間範囲内のチャネル走査結果を取得して判断して得られたものである。
【０１７０】
本願における実施例では、チャネル指示メッセージは、第３の無線チャネルリソースを含み、当該チャネル指示メッセージは、センター管理装置により第２の無線チャネルリソースに存在する干渉のタイプに基づいて生成したものであり、干渉のタイプは、センター管理装置が、トリガーイベントに応答して当該トリガーイベントに対応する予め設定された時間範囲内のチャネル走査結果を取得して判断して得られたものである。
【０１７１】
チャネル指示メッセージには、使用指示が含まれてもよい。または、チャネル指示メッセージに基づいて、対応した使用指示を取得し、当該使用指示が第３の無線チャネルリソースに対する利用権限を指示するためのものである。
【０１７２】
選択的に、当該基地局は制御装置７３０を含んでよい。制御装置７３０は、それに関連付けられる少なくとも１つの電子タグがチャネル指示メッセージで指示される第３の無線チャネルリソースの利用権限に従って通信を確立するように制御するためのものである。
【０１７３】
基地局の受信装置は、チャネル指示メッセージを受信した後、基地局のプロセッサをトリガして、チャネル指示メッセージで提供された第３の無線チャネルリソースを用いてそれに関連付けられる電子タグとの通信をそれぞれ、確立する。
【０１７４】
例えば、基地局１２０と電子タグ１２０-１、１２０-nとが第３の無線チャネルリソースf３によって通信が確立されるとともに、チャネル指示メッセージにおける使用指示に基づいて、通信が完成した後、第３の無線チャネルリソースf３を補正してデフォルトのチャネルリソースとし、または、通信が完成した後、第３の無線チャネルリソースf３を解放する。
【０１７５】
即ち、使用指示が第１の使用指示であれば、第２の無線チャネルリソースを用いて電子タグとの通信を完成した後、第２の無線チャネルリソースを補正して第１の無線チャネルリソースとし、または、使用指示が第２の使用指示であれば、第２の無線チャネルリソースを用い電子タグとの通信を完成した後、当該第２の無線チャネルリソースを解放する。そのうち、第１の使用指示と第２の使用指示は、指示内容を区別させるためのものである。使用指示の形式について、何らかの限定がされていない。
【０１７６】
基地局の受信装置がチャネル指示メッセージを受信した後、当該基地局に含まれる送信装置７１０は、さらに帰属する少なくとも１つの電子タグに対してチャネル指示メッセージをブロードキャストして通知する。
【０１７７】
本願における実施例では、基地局の送信装置によって、帰属する少なくとも１つの電子タグに対してチャネル指示メッセージをブロードキャストして通知する。
【０１７８】
通信効率を確保するために、ブロードキャスト信号のエネルギー値を大きくすること、及び／または、ブロードキャストの時間を延ばすことにより、チャネル指示メッセージをブロードキャストして通知してもよい。
【０１７９】
本願における実施例では、変化している無線環境においてチャネルリソースの干渉状況をリアルタイムに識別し、インテリジェント周波数ホッピング方案を提供することで電子タグシステムと同一の周波数帯域の他の通信製品とが共存する問題を解決し、さらに、電子タグシステムの通信効率を向上させる。
【０１８０】
図１に示した応用シナリオを基にして、本願における実施例は、電子タグシステムに用いられる基地局を提供している。図８を参照して、図８は、本願における実施例が提供している基地局の別の構造模式図を示す。当該基地局８００は、上記実施例にかかる基地局１２０、１２１、１２２、１２３、１２４、１２５であってよい。
【０１８１】
図８に示されるように、当該基地局８００は、センター管理装置１０１と通信するための送信装置８１０と、受信装置８２０と、少なくとも１つのプロセッサ８３０を含んでよい。
【０１８２】
基地局８００は、１つまたは複数の送信装置８１０と受信装置８２０を含んでよく、１つまたは複数の送受信装置を含んでもよい。送信装置、送受信装置は、イーサネットアダプター、無線送受信機などを含んでよい。それにより、有線または無線媒体を介して、例えば、イーサネット、無線イーサネットなどのプロトコルを用いて通信することができる。送信装置と受信装置は、センター管理装置１１０との情報交換のために用いられる。例えば、受信装置８２０は、センター管理装置１１０から送信された第２の無線チャネルリソース及び／またはチャネル指示メッセージなどを受信し、送信装置８０１はセンター管理装置１１０へ第１の情報セット及び／またはチャネル走査結果などを報告する。
【０１８３】
基地局装置８００は、異なるコア配置（複数のコアを含む）と時間・周波数を含む１つまたは複数のプロセッサ８３０をさらに含んでもよい。１つまたは複数のプロセッサ８３０は、操作可能なものであってもよい。それにより、コマンドの実行やロジックの応用などが実現される。それらの機能は、並行に操作され、及び／または通信によってリンクされた複数のプロセッサまたは単一のチップにおける複数のコアによって提供されることが意識される。プロセッサ８３０は、相応なプログラムコマンドを実行することで、図４に示された無線チャネルリソース管理方法のような無線チャネルリソースの割当をスケジューリングして管理する。
【０１８４】
基地局８００において、記憶システムを含んでもよく、記憶システムは様々な物理的サイズ、記憶能力、記憶容量等を有する１つまたは複数のメモリ装置８４０、及び／又は、フラッシュドライバ、ディスク、ランダムアクセスメモリなどのようなコンピュータ読取可能な媒体であってもよい。それにより、画像、テキストのようなデータ、および、プロセッサ８３０によって実行されるプログラムコマンドを記憶することができる。記憶システムは、少なくとも１つのプロセッサ８３０から離れた記憶装置であってもよい。本願における実施例では、制限されていない。
【０１８５】
本願における実施例では、コンピュータ読取可能な媒体８４０は、プロセッサ８３０によって実行されたコマンドを記憶することが可能である。プロセッサ８３０が要求すると、１つまたは複数のプログラム８５０またはそのうちの一部はコンピュータ読取可能な媒体８４０からロードされて、図４に示された無線リソース割当方法が実行される。
【０１８６】
図１に示した応用シナリオを基にして、本願における実施例は、電子タグシステムを提供している。図９を参照して、図９は、本願における実施例が提供している電子タグシステムの構造模式図を示す。本願における実施例が提供している上記無線リソース管理方法を実行するために用いられる。
【０１８７】
当該電子タグシステム９００は、センター管理装置９１０と、少なくとも２つの基地局９２０、９２１、９２２と、それぞれに関連付けられる複数の電子タグとを含んでよい（図９に示されていないが、図１に示した電子タグを含んでよい）。
【０１８８】
センター管理装置９１０は、上記実施例に記載のセンター管理装置の構造と機能と同じなので、ここでは説明を省略する。また、基地局９２０、９２１、９２２は、上記実施例に記載の基地局の構造と機能と同じなので、ここでは説明を省略する。
【０１８９】
注意すべきなのは、添付図面には、本発明方法の操作が特定の順序に従って記述されているが、しかし、それらの操作が当該特定の順序に従って実行されなければならないことを要求するではなく、または、示された全ての操作が実行されないと、所望の結果が実現されないことを示唆するではない。逆に、フローチャートに示されたステップは、その実行順序が変更されてもよい。付加的または選択的に、いくつかのステップを省略したり、複数のステップを１つのステップに合併して実行したり、及び／または、１つのステップを複数のステップに分割して実行したりすることができる。例えば、トリガーイベントに対応する予め設定された時間範囲内のチャネル走査結果に基づいて、第１の無線チャネルリソースに存在する干渉のタイプを判断し、干渉のタイプに応じて、チャネル指示メッセージを生成することができる。
【０１９０】
上記実施例では、各実施例に対する記述には、それなりに重要視された部分があり、ある実施例において詳しく記述されていない部分について、他の実施例における記載を参照してもよい。
【０１９１】
本願における実施例に記載の方法のステップは、実際な必要に応じて、順序調整や、合併、削除処理を行うことができる。
【０１９２】
添付図面におけるフローチャートおよびブロック図は、本発明の複数の実施例に係るシステム、方法、およびコンピュータプログラム製品が実現可能なアーキテクチャ、機能、および動作を示す。この点に関して、フローチャートまたはブロック図における各ブロックは、１つのモジュール、プログラムセグメント、または、コードの一部を代表することができ、前記モジュール、プログラムセグメント、または、コードの一部には、特定の論理機能を実現するための１つまたは複数の実行可能な命令が含まれる。また、注意すべきなのは、いくつかの代替的な実現では、ブロックに示された機能は、添付図面にマークされた順序とは異なる順序で行われてもよい。例えば、２つの連続的に示されたブロックは、実際には基本的に並行して実行されてもよく、場合によっては、逆な順序で実行されてもよい。それは、関係する機能によって決められる。また、ブロック図及び／又はフローチャートにおける各ブロック、および、ブロック図及び／又はフローチャートにおけるブロックの組み合わせは、特定の機能又は動作を実行する専用ハードウェアベースのシステムによって実現されてもよく、又は、専用ハードウェアとコンピュータ命令の組み合わせで実現されてもよいことを留意されたい。
【０１９３】
なお、本願における実施例にかかるユニットまたはモジュールへの記述は、ソフトウェアの方式によって実現できるし、ハードウェアの方式によって実現できる。記述されるユニットまたはモジュールは、プロセッサに設けられてもよい。例えば、取得ユニット、判断ユニット、及び、生成ユニットを含むプロセッサのように記述してもよい。そのうち、それらのユニットまたはモジュールの名称は、ある場合では、当該ユニットまたはモジュール自体に対する限定を構成しない。例えば、取得ユニットは、「トリガーイベントに対応する予め設定された時間範囲内のチャネル走査結果を取得するためのユニット」として記述されてもよい。
【０１９４】
一方では、本願は、コンピュータ読取可能な媒体をさらに提供し、当該コンピュータ読取可能な媒体が上記実施例に記載のセンター管理装置と基地局に含まれたコンピュータ読取可能な記憶媒体であってもよいし、装置にインストールされていない、別体として存在するコンピュータ読取可能な媒体であってもよい。コンピュータ読取可能な媒体には、１つまたは１つ以上のプログラムが記憶され、上記プログラムは、１つまたは１つ以上のプロセッサによって本願における無線リソース割当方法を記述するために実行される。
【０１９５】
以上の記述は、本願発明のより好ましい実施例及び応用される技術原理を説明するためのものに過ぎない。当業者であれば理解できるように、本願にかかる発明の範囲は、上記技術的特徴の特定の組み合わせによる技術案によって制限されておらず、同時に、上記発明思想から逸脱しない範囲内、上記技術的特徴またはそれに同等する特徴が任意に組み合わせられた他の技術案もカバーしている。例えば、上記特徴と本願に開示された（が限定されない）類似機能を有する技術的特徴とが相互に置き換えられた技術案が考えられる。
【図１】
2021519049.tif 000003
【図２】
2021519049.tif 000004
【図３】
2021519049.tif 000005
【図４】
2021519049.tif 000006
【図５】
2021519049.tif 000007
【図６】
2021519049.tif 000008
【図７】
2021519049.tif 000009
【図８】
2021519049.tif 000010
【図９】
2021519049.tif 000011
【国際調査報告】
2021519049.tif 000012
2021519049.tif 000013
2021519049.tif 000014
2021519049.tif 000015